(57)【要約】【課題】本発明は、収納部を有し、ボトルの口栓に装着ができ、サイズ調整可能で、段ボール詰めの収納性が良いボトル用プレミアム景品収納ケースを提供する。【解決手段】前面側壁部２０、後面側壁部２１、第一側面壁部２２、第二側面壁部２３および蓋面部２５を具備し、前記第一側面壁部２２上縁に第一天面部２８、第一側壁部２９、第一傾斜部３０、係止用切り込み部ｄを有する第一底面部３１、第一押さえ部３２が、該第一側面壁部２２下縁に係止片ｃを有する第一補助底面部３３が、前記第二側面壁部２３上縁に第二天面部３４、第二側壁部３５、第二傾斜部３６、係止用切り込み部ｆを有する第二底面部３７、第二押さえ部３８が、該第二側面壁部２３下縁に係止片ｅを有する第二補助底面部３９が各々連設されたボトル用プレミアム景品収納ケースである。【選択図】図１
2005212835.tif 000002
【特許請求の範囲】
【請求項１】
前面側壁部、後面側壁部、第一側面壁部、第二側面壁部および蓋面部を具備する直方体形状に形成され、前記前面側壁部の上縁に左右のフラップが折り目線を介して各々連設され、該前面側壁部の上端中央部に係止用切り込み部が設けられ、前記後面側壁部の上縁に前記蓋面部が折り目線を介して連設され、該蓋面部の上縁に係止片が折り目線を介して連設され、前記第一側面壁部の上縁に第一天面部、第一側壁部、第一傾斜部、第一底面部、第一押さえ部が折り目線を介して順次連設され、該第一側面壁部の下縁に係止片を延設してなる第一補助底面部が折り目線を介して連設され、前記第一底面部の中央部に係止用切り込み部が設けられ、前記第二側面壁部の上縁に第二天面部、第二側壁部、第二傾斜部、第二底面部、第二押さえ部が折り目線を介して順次連設され、該第二側面壁部の下縁に係止片を延設してなる第二補助底面部が折り目線を介して連設され、前記第二底面部の中央部に係止用切り込み部が設けられ、該第一側面壁部または該後面側壁部のいずれか一方に糊代片が折り目線を介して連設された１枚のブランクであって、このブランクの糊代片と後面側壁部とを接着してスリーブ形状とし、前記第一側面壁部と第二側面壁部とを直角に起立させて開口するとともに、前記左右のフラップを各々内側に折り曲げて、前記第一天面部、第一側壁部を折り目線を介して順次内側に折り曲げて、第一傾斜部を折り目線を介して外側に折り曲げて、前記第一底面部、第一押さえ部を折り目線を介して順次内側に折り曲げて、前記第一補助底面部を折り目線を介して内側に折り曲げて、該第一補助底面部の係止片を該第一底面部の係止用切り込み部に係止させて第一収納部を形成し、前記第二天面部、第二側壁部を折り目線を介して順次内側に折り曲げて、第二傾斜部を折り目線を介して外側に折り曲げて、前記第二底面部、第二押さえ部を折り目線を介して順次内側に折り曲げて、前記第二補助底面部を折り目線を介して内側に折り曲げて、該第二補助底面部の係止片を該第二底面部の係止用切り込み部に係止させて第二収納部を形成し、前記蓋面部を折り目線を介して内側に折り曲げて、該蓋面部の係止片を該前面側壁部の係止用切り込み部に係止させてなるボトル用プレミアム景品収納ケース。
【請求項２】
前記第一収納部と第二収納部との間にボトルの口栓に係止する係止用孔部が形成されていることを特徴とする請求項１記載のボトル用プレミアム景品収納ケース。
【発明の詳細な説明】
【技術分野】
【０００１】
本発明は、ミネラルウォータ、炭酸飲料などの清涼飲料水や調味料などの商品を包装するプラスチックボトルなどの口栓に装着し、プレミアム景品などを収納するボトル用プレミアム景品収納ケースに関するものである。
【背景技術】
【０００２】
従来、ポリエチレンテレフタレート（ＰＥＴ）樹脂などを成形して作製されるプラスチックボトル１２などにおまけを付けて販売する方法には、図１１に示すように、プラスチック製袋１６におまけを収納し、該プラスチック製袋１６に取付け孔１５を設け、該孔１５を口栓（キャップ）１４に被せるようにして、該ボトル１２の首部１２ａに装着し、該ボトル１２にぶら下がった状態で販売する方法が多く取られている。
【０００３】
このようにプラスチック製袋１６を用いた場合には、中に入れたおまけ１３が外から見えるので、どのようなものが入っているのかを見せたくない場合には、不向きである。
【０００４】
何が入っているのかは、買い求めてからの楽しみというようにする場合には、プラスチック製袋１６の中に不透明な紙製の箱を入れたり、プラスチック製袋の全面に印刷を施したりする必要があり、コストがかかる問題がある。
【０００５】
また、おまけ１３を入れたプラスチック製袋１６がボトル１２の脇にぶら下がった状態では、その部分の幅Ｌ２が、該ボトル自身の直径である幅Ｌ１より大きくなってしまう。
【０００６】
そのため、該袋１６を取り付けたボトル１２を並べる場合には、該袋１６を取り付けない場合と比較して、陳列スペースが多く必要になる。
【０００７】
また、プラスチック製袋１６を取り付けたボトル１２を段ボール函に入れる場合にも、おまけ１３が入ったプラスチック製袋１６が邪魔になり、段ボール詰めの手間もかかり、収納性も悪くなる。
【０００８】
そこで、図１２に示すように、前記プラスチックボトル１２の口栓１４におまけ容器１７を取り付けて販売する方法が提案されている（例えば、特許文献１参照）。
【０００９】
この提案のように、プラスチックボトル１２の口栓１４下部、詳しくは該ボトル１２の首部１２ａの上部に一体成形されている円形状の翼部１２ｂに取り付けられている。
【００１０】
該おまけ容器１７は、おまけを収納する容器部分と該ボトル１２の口栓１４に取り付ける容器部分が区切られて一体化されている構造をしている。
【００１１】
該おまけ容器１７は、紙製のシート部材を組み立てたもので、該シート部材は、図１３に示すように、第１の面１に、折り目線を介して第２の面２を連設し、該第２の面２に折り目線を介して第３の面３を連設し、該第３の面３の両端には、折り目線を介して折り込みフラップを各々設けている。
【００１２】
さらに、前記第３の面３に対して第２の面と反対側の折り目線と連設する第４の面４を設け、該第４の面４に折り目線を介して糊代８を連設し、該糊代８の両端にも、折り目線を介して折り込みフラップを各々設けている。
【００１３】
前記第４の面４には、いずれか一方の端辺に折り目線を介して第５の面５を連設し、該第５の面５には折り目線を介して第６の面６を連設し、さらに該第６の面６には折り目線を介して第７の面７を連設し、該第７の面７には折り目線を介して折り込みフラップ９を連設している。
【００１４】
前記第１〜第７の面１〜７の内、第１の面１と第３の面３が同じ形状、第２の面２と第４の面４および第６の面６が同じ形状、第５の面５と第７の面７とが同じ形状である。
【００１５】
そして、前記第１の面１には、プラスチックボトル１２の首部１２ａを挿入する首部挿入孔１０を設けるとともに、その周囲に首部押さえ片１０a、１０bを各々設けている。
【００１６】
このようなシート部材の折り目線を全て谷折りまたは山折りにして、糊代８と第１の面１とを接着すると、おまけ容器１７ができあがる。
【００１７】
このおまけ容器１７は、紙製なので、特に費用をかけなくても、中身が見えないものにできる。
【００１８】
また、プラスチックボトル１２の幅Ｌ１より、おまけ容器の幅Ｌ３が短いので、陳列スペースが大きくなることもなく、段ボール詰めの手間もかからず、収納性も悪くなることはない。
【００１９】
以下に先行技術文献を示す。
【特許文献１】特開２００１−１９９４４４号公報
【発明の開示】
【発明が解決しようとする課題】
【００２０】
しかしながら、上記のようなおまけ容器は、複雑であるために組み立てにかなりの手間を必要とし、生産コストが高くなり、またブランクの形状が変則的であるので多面付けの際に通常の規格寸法の板紙にたいしての取り都合が悪く、無駄な紙の部分が発生し、材料コストも高くなる。
【００２１】
さらに、糊代と第１の面とを糊貼りする工程も手作業となり、生産コストがますます高くなる問題がある。
【００２２】
また、図１４に示すように、該容器の底面部５０の中心部に係止用孔部５１を設け、該係止用孔部５１の周辺に切れ刃により切り込み５２を放射状に設けてボトル１２の口栓１４下部に係止する方法もあるが、この場合は、切り込み５２部分が強度的に弱くなり、外的な衝撃などにより破損し、ボトル１２の口栓１４下部から外れる問題などが発生し不安定である。
【００２３】
本発明は、このような従来技術の問題点を解決しようとするものであり、景品の収納部を有し、ボトルの口栓に装着でき、省スペースでコストが安く、簡単に組み立てができ、また景品の大きさや厚みに応じて自由にサイズ調整が可能であり、さらにプラスチックボトルに取り付けた際の陳列スペースが大きくなることもなく、段ボール詰めの手間もかからず、収納性も良いボトル用プレミアム景品収納ケースを提供することを目的とする。
【課題を解決するための手段】
【００２４】
本発明は、上記の課題を解決するために成されたものであり、本発明の請求項１に係る発明は、前面側壁部２０、後面側壁部２１、第一側面壁部２２、第二側面壁部２３および
蓋面部２５を具備する直方体形状に形成され、前記前面側壁部２０の上縁に左右のフラップ２６、２７が折り目線を介して各々連設され、該前面側壁部２０の上端中央部に係止用切り込み部ｂが設けられ、前記後面側壁部２１の上縁に前記蓋面部２５が折り目線を介して連設され、該蓋面部２５の上縁に係止片ａが折り目線を介して連設され、前記第一側面壁部２２の上縁に第一天面部２８、第一側壁部２９、第一傾斜部３０、第一底面部３１、第一押さえ部３２が折り目線を介して順次連設され、該第一側面壁部２２の下縁に係止片ｃを延設してなる第一補助底面部３３が折り目線を介して連設され、前記第一底面部３１の中央部に係止用切り込み部ｄが設けられ、前記第二側面壁部２３の上縁に第二天面部３４、第二側壁部３５、第二傾斜部３６、第二底面部３７、第二押さえ部３８が折り目線を介して順次連設され、該第二側面壁部２３の下縁に係止片ｅを延設してなる第二補助底面部３９が折り目線を介して連設され、前記第二底面部３７の中央部に係止用切り込み部ｆが設けられ、該第一側面壁部２２または該後面側壁部２１のいずれか一方に糊代片２４が折り目線を介して連設された１枚のブランクであって、このブランクの糊代片２４と後面側壁部２１とを接着してスリーブ形状とし、前記第一側面壁部２２と第二側面壁部２３とを直角に起立させて開口するとともに前記左右のフラップ２６、２７を各々内側に折り曲げ、前記第一天面部２８、第一側壁部２９を折り目線を介して順次内側に折り曲げ、第一傾斜部３０を折り目線を介して外側に折り曲げ、前記第一底面部３１、第一押さえ部３２を折り目線を介して順次内側に折り曲げ、前記第一補助底面部３３を折り目線を介して内側に折り曲げて、該第一補助底面部３３の係止片ｃを該第一底面部３１の係止用切り込み部ｄに係止させて第一収納部４０を形成し、前記第二天面部３４、第二側壁部３５を折り目線を介して順次内側に折り曲げ、第二傾斜部３６を折り目線を介して外側に折り曲げ、前記第二底面部３７、第二押さえ部３８を折り目線を介して順次内側に折り曲げ、前記第二補助底面部３９を折り目線を介して内側に折り曲げて、該第二補助底面部３９の係止片ｅを該第二底面部３７の係止用切り込み部ｆに係止させて第二収納部４１を形成し、前記蓋面部２５を折り目線を介して内側に折り曲げ、該蓋面部２５の係止片ａを該前面側壁部２０の係止用切り込み部ｂに係止させてなるボトル用プレミアム景品収納ケースである。
【００２５】
本発明の請求項２に係る発明は、請求項１記載のボトル用プレミアム景品収納ケースにおいて、前記第一収納部４０と第二収納部４１との間にボトル１２の口栓１４に係止する係止用孔部４２が形成されていることを特徴とする請求項１記載のボトル用プレミアム景品収納ケースである。
【発明の効果】
【００２６】
本発明のボトル用プレミアム景品収納ケースは、前面側壁部、後面側壁部、第一側面壁部、第二側面壁部、および蓋面部を具備する直方体形状に形成され、前記前面側壁部の上縁に左右のフラップが折り目線を介して各々連設され、該前面側壁部の上端中央部に係止用切り込み部が設けられ、前記後面側壁部の上縁に前記蓋面部が折り目線を介して連設され、該蓋面部の上縁に係止片が折り目線を介して連設され、前記第一側面壁部の上縁に第一天面部、第一側壁部、第一傾斜部、第一底面部、第一押さえ部が折り目線を介して順次連設され、該第一側面壁部の下縁に係止片を延設してなる第一補助底面部が折り目線を介して連設され、前記第一底面部の中央部に係止用切り込み部が設けられ、前記第二側面壁部の上縁に第二天面部、第二側壁部、第二傾斜部、第二底面部、第二押さえ部が折り目線を介して順次連設され、該第二側面壁部の下縁に係止片を延設してなる第二補助底面部が折り目線を介して連設され、前記第二底面部の中央部に係止用切り込み部が設けられ、該第一側面壁部または該後面側壁部のいずれか一方に糊代片が折り目線を介して連設された１枚のブランクであって、このブランクの糊代片と後面側壁部とを接着してスリーブ形状とし、前記第一側面壁部と第二側面壁部とを直角に起立させて開口するとともに前記左右のフラップを各々内側に折り曲げ、前記第一天面部、第一側壁部を折り目線を介して順次内側に折り曲げ、第一傾斜部を折り目線を介して外側に折り曲げ、前記第一底面部、第一押さえ部を折り目線を介して順次内側に折り曲げ、前記第一補助底面部を折り目線を介し
て内側に折り曲げて、該第一補助底面部の係止片を該第一底面部の係止用切り込み部に係止させて第一収納部を形成し、前記第二天面部、第二側壁部を折り目線を介して順次内側に折り曲げ、第二傾斜部を折り目線を介して外側に折り曲げ、前記第二底面部、第二押さえ部を折り目線を介して順次内側に折り曲げ、前記第二補助底面部を折り目線を介して内側に折り曲げて、該第二補助底面部の係止片を該第二底面部の係止用切り込み部に係止させて第二収納部を形成し、前記蓋面部を折り目線を介して内側に折り曲げ、該蓋面部の係止片を該前面側壁部の係止用切り込み部に係止させた構成により、収納部を有し、ボトルの口栓に装着ができ、省スペースでコストが安く、簡単に組み立てができ、また景品の大きさや厚みに応じて自由にサイズ調整が可能であり、さらにプラスチックボトルに取り付けた際の陳列スペースが大きくなることもなく、段ボール詰めの手間もかからず、収納性も良いものである。
【発明を実施するための最良の形態】
【００２７】
本発明の実施の形態を図１から図１０に基づいて詳細に説明する。
【００２８】
図１は本発明に係るボトル用プレミアム景品収納ケースのブランクの１実施例を示す展開平面図であり、図２は本発明に係るボトル用プレミアム景品収納ケースのスリーブ状の１実施例を示す平面図であり、図３は本発明に係るボトル用プレミアム景品収納ケースの上面部を開口した１実施例を示す斜視図であり、図４は本発明に係るボトル用プレミアム景品収納ケースの組み立て中の１実施例を示す正面図であり、図５は本発明に係るボトル用プレミアム景品収納ケースの底面部の１実施例を示す平面図であり、図６は本発明に係るボトル用プレミアム景品収納ケースの上面部の１実施例を示す平面図であり、図７は本発明に係るボトル用プレミアム景品収納ケースの１実施例を示す斜視図であり、図８は図７のＸ−Ｘ線側断面図であり、図９は本発明に係るボトル用プレミアム景品収納ケースをボトル１２の口栓１４下部に取り付けた１実施例を示す斜視図であり、図１０は図９のＹ−Ｙ線側断面図である。
【００２９】
本発明のボトル用プレミアム景品収納ケースのブランクは、図１に示すように、前面側壁部２０、後面側壁部２１、第一側面壁部２２、第二側面壁部２３および蓋面部２５を具備している。
【００３０】
前記前面側壁部２０の上縁に左右のフラップ２６、２７が折り目線を介して各々連設されている。
【００３１】
次に、該前面側壁部２０の上端中央部に係止用切り込み部ｂが設けられ、前記後面側壁部２１の上縁に前記蓋面部２５が折り目線を介して連設され、該蓋面部２５の上縁に係止片ａが折り目線を介して連設されている。
【００３２】
前記第一側面壁部２２の上縁に第一天面部２８、第一側壁部２９、第一傾斜部３０、第一底面部３１、第一押さえ部３２が折り目線を介して順次連設され、該第一側面壁部２２の下縁に係止片ｃを延設してなる第一補助底面部３３が折り目線を介して連設され、前記第一底面部３１の中央部に係止用切り込み部ｄが設けられている。
【００３３】
同様に、前記第二側面壁部２３の上縁に第二天面部３４、第二側壁部３５、第二傾斜部３６、第二底面部３７、第二押さえ部３８が折り目線を介して順次連設され、該第二側面壁部２３の下縁に係止片ｅを延設してなる第二補助底面部３９が折り目線を介して連設され、前記第二底面部３７の中央部に係止用切り込み部ｆが設けられている。
【００３４】
次に、該第一側面壁部２２または該後面側壁部２１のいずれか一方に糊代片２４が折り目線を介して連設されている。
【００３５】
この１枚のブランクの糊代片２４と後面側壁部２１とを接着して図２に示すようにスリーブ形状とする。
【００３６】
このスリーブ形状のボトル用プレミアム景品収納ケースを、図３に示すように、前記第一側面壁部２２と第二側面壁部２３とを直角に起立させて開口する。
【００３７】
次に、前記前面側壁部２０の上縁に設けられている左右のフラップ２６、２７を各々内側に折り曲げる。
【００３８】
次に、前記第一側面壁部２２の上縁に設けられている第一天面部２８、第一側壁部２９を折り目線を介して順次内側に折り曲げ、第一傾斜部３０を折り目線を介して外側に折り曲げ、第一底面部３１、第一押さえ部３２を折り目線を介して順次内側に折り曲げ、第一補助底面部３３を折り目線を介して内側に折り曲げて、図４に示すような形態に組み立てる。
【００３９】
次に、図５に示すように、第一補助底面部３３の係止片ｃを第一底面部３１の係止用切り込み部ｄに係止させて第一収納部４０を形成する。
【００４０】
同様に、前記第二側面壁部２３の上縁に設けられている第二天面部３４、第二側壁部３５を折り目線を介して順次内側に折り曲げ、第二傾斜部３６を折り目線を介して外側に折り曲げ、第二底面部３７、第二押さえ部３８を折り目線を介して順次内側に折り曲げ、第二補助底面部３９を折り目線を介して内側に折り曲げて、図４に示すような形態に組み立てる。
【００４１】
次に、図５に示すように、第二補助底面部３９の係止片ｅを第二底面部３７の係止用切り込み部ｆに係止させて第二収納部４１を形成する。
【００４２】
次に、前記蓋面部２５を折り目線を介して内側に折り曲げ、該蓋面部２５の係止片ａを前面側壁部２０の係止用切り込み部ｂに係止させて、図７に示すようなボトル用プレミアム景品収納ケースを作製する。
【００４３】
図６に示すように、第一収納部４０と第二収納部４１との間にボトル１２の口栓１４に係止する係止用孔部４２が形成される。
【００４４】
図８に示すように、第一収納部４０と第二収納部４１の下部壁を構成している第一傾斜部３０と第二傾斜部３６がボトル１２の口栓１４下部に係止する役割をする。
【００４５】
すなわち、図９に示すように、前記第一収納部４０と第二収納部４１との間にプラスチックボトル１２の首部１２ａを挿入して、該ボトルの口栓１４下部、詳しくは該ボトル１２の首部１２ａの上部に一体成形されている円形状の翼部１２ｂに第一収納部４０と第二収納部４１の下部壁を構成している第一傾斜部３０と第二傾斜部３６が係止する。
【００４６】
さらに詳しくは、図１０に示すように、第一収納部４０と第二収納部４１の下部壁を構成している第一傾斜部３０と第二傾斜部３６が斜めに突出して、該第一収納部４０と該第二収納部４１との間が狭くなっており、ボトルの口栓１４下部、すなわち、該ボトル１２の首部１２ａの上部に一体成形されている円形状の翼部１２ｂに係止する仕組みになっている。
【００４７】
このようにボトル用プレミアム景品収納ケースは、二つの矩形状の第一収納部４０と第
二収納部４１を持ち、その各々の収納部がプレミアム景品を収納する役割とボトルの口栓１４下部、すなわち、該ボトル１２の首部１２ａの上部に一体成形されている円形状の翼部１２ｂに係止する役割とを担っている。
【００４８】
また、該ボトル用プレミアム景品収納ケースは、立体的な形状をしており、ボトルの上部にセットするので、輸送段ボールケース詰めの際、スペース確保のために薄くて限られた景品しか収納できなかった、従来のボトルネック吊り下げ方式などの場合に比較して景品の大きさ、厚みが自由に選択できる。
【００４９】
該ボトル用プレミアム景品収納ケースの材質は、コートボール、マニラボールなどの板紙やポリプロピレン樹脂シートやアクリル樹脂シートなどの合成樹脂シートを適宜使用することができる。
【００５０】
また、該ケース自体が立体的な形状であるので、広告宣伝の印刷表示がアピール効果を持ち、店頭での商品の認知度をより一層アップする効果もある。
【００５１】
さらに、該ケースは、単純な形態であるので省資源パッケージであり、紙を使用することによって廃棄が容易で環境にやさしいパッケージでもある。
【００５２】
以上のように、本発明のボトル用プレミアム景品収納ケースは、前面側壁部２０、後面側壁部２１、第一側面壁部２２、第二側面壁部２３および蓋面部２５を具備する直方体形状に形成され、前記前面側壁部２０の上縁に左右のフラップ２６、２７が折り目線を介して各々連設され、該前面側壁部２０の上端中央部に係止用切り込み部ｂが設けられ、前記後面側壁部２１の上縁に前記蓋面部２５が折り目線を介して連設され、該蓋面部２５の上縁に係止片ａが折り目線を介して連設され、前記第一側面壁部２２の上縁に第一天面部２８、第一側壁部２９、第一傾斜部３０、第一底面部３１、第一押さえ部３２が折り目線を介して順次連設され、該第一側面壁部２２の下縁に係止片ｃを延設してなる第一補助底面部３３が折り目線を介して連設され、前記第一底面部３１の中央部に係止用切り込み部ｄが設けられ、前記第二側面壁部２３の上縁に第二天面部３４、第二側壁部３５、第二傾斜部３６、第二底面部３７、第二押さえ部３８が折り目線を介して順次連設され、該第二側面壁部２３の下縁に係止片ｅを延設してなる第二補助底面部３９が折り目線を介して連設され、前記第二底面部３７の中央部に係止用切り込み部ｆが設けられ、該第一側面壁部２２または該後面側壁部２１のいずれか一方に糊代片２４が折り目線を介して連設された１枚のブランクであって、このブランクの糊代片２４と後面側壁部２１とを接着してスリーブ形状とし、前記第一側面壁部２２と第二側面壁部２３とを直角に起立させて開口するとともに前記左右のフラップ２６、２７を各々内側に折り曲げ、前記第一天面部２８、第一側壁部２９を折り目線を介して順次内側に折り曲げ、第一傾斜部３０を折り目線を介して外側に折り曲げ、前記第一底面部３１、第一押さえ部３２を折り目線を介して順次内側に折り曲げ、前記第一補助底面部３３を折り目線を介して内側に折り曲げて、該第一補助底面部３３の係止片ｃを該第一底面部３１の係止用切り込み部ｄに係止させて第一収納部４０を形成し、前記第二天面部３４、第二側壁部３５を折り目線を介して順次内側に折り曲げ、第二傾斜部３６を折り目線を介して外側に折り曲げ、前記第二底面部３７、第二押さえ部３８を折り目線を介して順次内側に折り曲げ、前記第二補助底面部３９を折り目線を介して内側に折り曲げて、該第二補助底面部３９の係止片ｅを該第二底面部３７の係止用切り込み部ｆに係止させて第二収納部４１を形成し、前記蓋面部２５を折り目線を介して内側に折り曲げ、該蓋面部２５の係止片ａを該前面側壁部２０の係止用切り込み部ｂに係止させてなる構成により、収納部を有し、ボトルの口栓に装着ができ、省スペースでコストが安く、簡単に組み立てができ、また景品の大きさや厚みに応じて自由にサイズ調整が可能であり、さらにプラスチックボトルに取り付けた際の陳列スペースが大きくなることもなく、段ボール詰めの手間もかからず、収納性も良いものである。
【００５３】
以下に、本発明の具体的実施例を挙げて、さらに詳しく説明する。
【実施例１】
【００５４】
本発明のボトル用プレミアム景品収納ケースは、坪量が３２０ｇ／ｍ2のマニラコートボールを使用し、仕上がり寸法を幅８０ｍｍ×奥行５０ｍｍ×高さ５０ｍｍに設定した。
【００５５】
該ボトル用プレミアム景品収納ケースのブランクは、図１に示すように、前面側壁部２０、後面側壁部２１、第一側面壁部２２、第二側面壁部２３、および蓋面部２５を具備した。
【００５６】
前記前面側壁部２０の上縁に左右のフラップ２６、２７を折り目線を介して各々連設した。
【００５７】
次に、該前面側壁部２０の上端中央部に係止用切り込み部ｂを設け、前記後面側壁部２１の上縁に前記蓋面部２５を折り目線を介して連設させ、該蓋面部２５の上縁に係止片ａを折り目線を介して連設した。
【００５８】
次に、前記第一側面壁部２２の上縁に第一天面部２８、第一側壁部２９、第一傾斜部３０、第一底面部３１、第一押さえ部３２を折り目線を介して順次連設させ、該第一側面壁部２２の下縁に係止片ｃを延設してなる第一補助底面部３３を折り目線を介して連設させて、前記第一底面部３１の中央部に係止用切り込み部ｄを設けた。
【００５９】
同様に、前記第二側面壁部２３の上縁に第二天面部３４、第二側壁部３５、第二傾斜部３６、第二底面部３７、第二押さえ部３８を折り目線を介して順次連設させ、該第二側面壁部２３の下縁に係止片ｅを延設してなる第二補助底面部３９を折り目線を介して連設させて、前記第二底面部３７の中央部に係止用切り込み部ｆを設けた。
【００６０】
次に、該第一側面壁部２２または該後面側壁部２１のいずれか一方に糊代片２４を折り目線を介して連設した。
【００６１】
この１枚のブランクの糊代片２４と後面側壁部２１とを接着させて、図２に示すようにスリーブ形状をしたボトル用プレミアム景品収納ケースを作製した。
【００６２】
このスリーブ形状のボトル用プレミアム景品収納ケースを、図３に示すように、前記第一側面壁部２２と第二側面壁部２３とを直角に起立させて開口した。
【００６３】
次に、前記前面側壁部２０の上縁に設けられている左右のフラップ２６、２７を各々内側に折り曲げた。
【００６４】
次に、前記第一側面壁部２２の上縁に設けられている第一天面部２８、第一側壁部２９を折り目線を介して順次内側に折り曲げ、第一傾斜部３０を折り目線を介して外側に折り曲げ、第一底面部３１、第一押さえ部３２を折り目線を介して順次内側に折り曲げ、第一補助底面部３３を折り目線を介して内側に折り曲げて、図４に示すような形態に組み立てた。
【００６５】
次に、図５に示すように、第一補助底面部３３の係止片ｃを第一底面部３１の係止用切り込み部ｄに係止させて第一収納部４０を形成した。
【００６６】
同様に、前記第二側面壁部２３の上縁に設けられている第二天面部３４、第二側壁部３
５を折り目線を介して順次内側に折り曲げ、第二傾斜部３６を折り目線を介して外側に折り曲げ、第二底面部３７、第二押さえ部３８を折り目線を介して順次内側に折り曲げ、第二補助底面部３９を折り目線を介して内側に折り曲げて、図４に示すような形態に組み立てた。
【００６７】
次に、図５に示すように、第二補助底面部３９の係止片ｅを第二底面部３７の係止用切り込み部ｆに係止させて第二収納部４１を形成した。
【００６８】
次に、前記蓋面部２５を折り目線を介して内側に折り曲げ、該蓋面部２５の係止片ａを前面側壁部２０の係止用切り込み部ｂに係止させて、図７に示すようなボトル用プレミアム景品収納ケースを作製した。
【００６９】
図６に示すように、第一収納部４０と第二収納部４１との間にボトル１２の口栓１４に係止する係止用孔部４２が形成された。
【００７０】
図８に示すように、第一収納部４０と第二収納部４１の下部壁を構成している第一傾斜部３０と第二傾斜部３６がボトル１２の口栓１４下部に係止する役割を果たした。
【００７１】
すなわち、図９に示すように、前記第一収納部４０と第二収納部４１との間にプラスチックボトル１２の首部１２ａを挿入して、該ボトルの口栓１４下部、詳しくは該ボトル１２の首部１２ａの上部に一体成形されている円形状の翼部１２ｂに第一収納部４０と第二収納部４１の下部壁を構成している第一傾斜部３０と第二傾斜部３６が係止した。
【００７２】
さらに詳しくは、図１０に示すように、第一収納部４０と第二収納部４１の下部壁を構成している第一傾斜部３０と第二傾斜部３６が斜めに外側に突出して、該第一収納部４０と該第二収納部４１との間が狭くなっており、ボトルの口栓１４下部、すなわち、該ボトル１２の首部１２ａの上部に一体成形されている円形状の翼部１２ｂに係止する仕組みに形成した。
【００７３】
このようにボトル用プレミアム景品収納ケースに、二つの矩形状の第一収納部４０と第二収納部４１を持たせ、その各々の収納部がプレミアム景品を収納する役割とボトルの口栓１４下部、すなわち、該ボトル１２の首部１２ａの上部に一体成形されている円形状の翼部１２ｂに係止する役割とをもたせた。
【００７４】
また、該ボトル用プレミアム景品収納ケースは、立体的な形状をしており、ボトルの上部にセットしたので、輸送段ボールケース詰めの際、スペース確保のために薄くて限られた景品しか収納できなかった、従来のボトルネック吊り下げ方式などの場合に比較して景品の大きさ、厚みが自由に選択できるようになった。
【００７５】
また、該ケース自体が立体的な形状であるので、広告宣伝の印刷表示がアピール効果を持ち、店頭での商品の認知度をより一層アップする効果も発揮した。
【００７６】
さらに、該ケースは、単純な形態であるので省資源パッケージであり、紙を使用することによって廃棄が容易になり環境にやさしいパッケージになった。
【００７７】
以上のように、本発明のボトル用プレミアム景品収納ケースは、前面側壁部２０、後面側壁部２１、第一側面壁部２２、第二側面壁部２３および蓋面部２５を具備する直方体形状に形成され、前記前面側壁部２０の上縁に左右のフラップ２６、２７が折り目線を介して各々連設され、該前面側壁部２０の上端中央部に係止用切り込み部ｂが設けられ、前記後面側壁部２１の上縁に前記蓋面部２５が折り目線を介して連設され、該蓋面部２５の上
縁に係止片ａが折り目線を介して連設され、前記第一側面壁部２２の上縁に第一天面部２８、第一側壁部２９、第一傾斜部３０、第一底面部３１、第一押さえ部３２が折り目線を介して順次連設され、該第一側面壁部２２の下縁に係止片ｃを延設してなる第一補助底面部３３が折り目線を介して連設され、前記第一底面部３１の中央部に係止用切り込み部ｄが設けられ、前記第二側面壁部２３の上縁に第二天面部３４、第二側壁部３５、第二傾斜部３６、第二底面部３７、第二押さえ部３８が折り目線を介して順次連設され、該第二側面壁部２３の下縁に係止片ｅを延設してなる第二補助底面部３９が折り目線を介して連設され、前記第二底面部３７の中央部に係止用切り込み部ｆが設けられ、該第一側面壁部２２または該後面側壁部２１のいずれか一方に糊代片２４が折り目線を介して連設された１枚のブランクであって、このブランクの糊代片２４と後面側壁部２１とを接着してスリーブ形状とし、前記第一側面壁部２２と第二側面壁部２３とを直角に起立させて開口するとともに前記左右のフラップ２６、２７を各々内側に折り曲げ、前記第一天面部２８、第一側壁部２９を折り目線を介して順次内側に折り曲げ、第一傾斜部３０を折り目線を介して外側に折り曲げ、前記第一底面部３１、第一押さえ部３２を折り目線を介して順次内側に折り曲げ、前記第一補助底面部３３を折り目線を介して内側に折り曲げて、該第一補助底面部３３の係止片ｃを該第一底面部３１の係止用切り込み部ｄに係止させて第一収納部４０を形成し、前記第二天面部３４、第二側壁部３５を折り目線を介して順次内側に折り曲げ、第二傾斜部３６を折り目線を介して外側に折り曲げ、前記第二底面部３７、第二押さえ部３８を折り目線を介して順次内側に折り曲げ、前記第二補助底面部３９を折り目線を介して内側に折り曲げて、該第二補助底面部３９の係止片ｅを該第二底面部３７の係止用切り込み部ｆに係止させて第二収納部４１を形成し、前記蓋面部２５を折り目線を介して内側に折り曲げ、該蓋面部２５の係止片ａを該前面側壁部２０の係止用切り込み部ｂに係止させてなる構成により、収納部を有し、ボトルの口栓に装着ができ、省スペースでコストが安く、簡単に組み立てができ、また景品の大きさや厚みに応じて自由にサイズ調整が可能であり、さらにプラスチックボトルに取り付けた際の陳列スペースが大きくなることもなく、段ボール詰めの手間もかからず、収納性も良いものが提供できるようになった。
【図面の簡単な説明】
【００７８】
【図１】本発明に係るボトル用プレミアム景品収納ケースのブランクの１実施例を示す展開平面図である。
【図２】本発明に係るボトル用プレミアム景品収納ケースのスリーブ状の１実施例を示す平面図である。
【図３】本発明に係るボトル用プレミアム景品収納ケースの上面部を開口した１実施例を示す斜視図である。
【図４】本発明に係るボトル用プレミアム景品収納ケースの組み立て中の１実施例を示す正面図である。
【図５】本発明に係るボトル用プレミアム景品収納ケースの底面部の１実施例を示す平面図である。
【図６】本発明に係るボトル用プレミアム景品収納ケースの上面部の１実施例を示す平面図である。
【図７】本発明に係るボトル用プレミアム景品収納ケースの１実施例を示す斜視図である。
【図８】図７のＸ−Ｘ線側断面図である。
【図９】本発明に係るボトル用プレミアム景品収納ケースをボトルの口栓下部に取り付けた１実施例を示す斜視図である。
【図１０】図９のＹ−Ｙ線側断面図である。
【図１１】従来のボトル用プレミアム景品収納プラスチック製袋をボトルの首部に取り付けた１実施例を示す斜視図である。
【図１２】従来のボトル用プレミアム景品収納ケースをボトルの口栓下部に取り付けた１実施例を示す斜視図である。
【図１３】従来のボトル用プレミアム景品収納ケースの１実施例を示す展開平面図である。
【図１４】従来のボトル用プレミアム景品収納ケースをボトルの口栓下部に取り付けるための底面部の１実施例を示す平面図である。
【符号の説明】
【００７９】
１・・・第１の面
２・・・第２の面
３・・・第３の面
４・・・第４の面
５・・・第５の面
６・・・第６の面
７・・・第７の面
８・・・糊代
９・・・折り込みフラップ
１０・・・首部挿入孔    １０a・・・首部押さえ片    １０b・・・首部押さえ片
１２・・・ボトル    １２ａ・・・首部    １２ｂ・・・翼部
１３・・・おまけ
１４・・・口栓（キャップ）
１５・・・取付け孔
１６・・・プラスチック製袋
１７・・・おまけ容器
２０・・・前面側壁部
２１・・・後面側壁部
２２・・・第一側面壁部
２３・・・第二側面壁部
２４・・・糊代片
２５・・・蓋面部
２６・・・フラップ
２７・・・フラップ
２８・・・第一天面部
２９・・・第一側壁部
３０・・・第一傾斜部
３１・・・第一底面部
３２・・・第一押さえ部
３３・・・第一補助底面部
３４・・・第二天面部
３５・・・第二側壁部
３６・・・第二傾斜部
３７・・・第二底面部
３８・・・第二押さえ部
３９・・・第二補助底面部
４０・・・第一収納部
４１・・・第二収納部
４２・・・係止用孔部
５０・・・底面部
５１・・・係止用孔部
５２・・・切り込み
ａ・・・係止片
ｂ・・・係止用切り込み部
ｃ・・・係止片
ｄ・・・係止用切り込み部
ｅ・・・係止片
ｆ・・・係止用切り込み部
Ｌ１・・・幅
Ｌ２・・・幅
Ｌ３・・・幅
【図１】
2005212835.tif 000003
【図２】
2005212835.tif 000004
【図３】
2005212835.tif 000005
【図４】
2005212835.tif 000006
【図５】
2005212835.tif 000007
【図６】
2005212835.tif 000008
【図７】
2005212835.tif 000009
【図８】
2005212835.tif 000010
【図９】
2005212835.tif 000011
【図１０】
2005212835.tif 000012
【図１１】
2005212835.tif 000013
【図１２】
2005212835.tif 000014
【図１３】
2005212835.tif 000015
【図１４】
2005212835.tif 000016